(57)【要約】【課題】  綴じ具や接着剤を一切用いることなく、古紙としての再利用が可能であって、しかもデザインの自由度が高くて広告宣伝用の配布物として好適なカレンダーを提供する。【解決手段】  暦８が表示され、二つ折りにしたカレンダー用紙４と、表裏に連通する横長の窓３を有する台紙１とよりなり、前記カレンダー用紙４を台紙１の窓３に挿通してカレンダー用紙４の折目６の内側部分が前記窓３の下辺部上縁にて支持されるように構成した。【選択図】  図１
2005305880.tif 000002
【特許請求の範囲】
【請求項１】
暦が表示され、二つ折りにしたカレンダー用紙と、表裏に連通する横長の窓を有する台紙とよりなり、前記カレンダー用紙を台紙の窓に挿通してカレンダー用紙の折目の内側部分が前記窓の下辺部上縁にて支持されるように構成してなるカレンダー。
【請求項２】
前記窓の下辺部における左右のうちの少なくとも一方の端部に、下辺部よりも上方に突出する段部を設けるとともに、前記カレンダー用紙の折目における前記段部に対応する側に切欠き部を形成し、この切欠き部を前記段部に係合させてカレンダー用紙を台紙に吊り下げるように構成してなる請求項１に記載のカレンダー。
【請求項３】
前記台紙の周辺部と窓との間に、前記カレンダー用紙を窓に導入するための連通部を設けてなる請求項１または２に記載のカレンダー。
【請求項４】
前記台紙に、広告表示欄を設けてなる請求項１または２に記載のカレンダー。
【発明の詳細な説明】
【技術分野】
【０００１】
本発明はカレンダーに関する。
【背景技術】
【０００２】
カレンダーは１年分の暦を１枚ものの用紙に表示したもののほかに、１年の暦をひと月ごとや複数月ごとあるいは一日ごとの複数枚の用紙に分けて表示し、複数枚の用紙を綴った月めくりあるいは日めくりと呼ばれるものがある。
【０００３】
従来の月めくりあるいは日めくりのカレンダーは、各用紙の上端を金属製あるいは樹脂製の綴じ具で綴ったものが一般的であるが、使用済みあるいは不要なカレンダーを廃棄する際には、古紙あるいは可燃ごみとして処分できる用紙部分と、燃やせないごみ（不燃ごみ）あるいは金属、プラスチックリサイクルとして処分される綴じ具部分とを分離しなければならず、綴じ具を用紙から容易に分離できるようにしたカレンダーが各種考案され、実用に供されている。
【０００４】
また、複数の用紙を接着剤で綴じ、綴じ具を不要として、廃棄の際にそのまま古紙あるいは可燃ごみとして処分できるようにしたものもある。
【０００５】
上述したカレンダーを廃棄する際の分別の問題は、資源リサイクルやごみ処理問題を解決する上で重要であるが、近年ではさらに環境上の問題から綴じ具も接着剤も使用しないで構成するカレンダーが考案されている（特許文献１参照）。
【０００６】
ところで、カレンダーは単に暦を表示するための機能に止まるものではなく、室内装飾品としての機能や、広告を付して配布することによる宣伝機能をも持つものである。
したがって、カレンダーには処分の容易さや環境への悪影響が極力少ないことに加え、デザインの自由度が高く、広告の表示が容易であることが求められている。
【０００７】
しかしながら、上述した条件の全てを満たすような構成のカレンダー、すなわち綴じ具や接着剤を一切用いず、古紙としての再利用が可能であって、しかもデザインの自由度が高くて広告宣伝用の配布物として好適なカレンダーはいまだに実用に供されていない。
【特許文献１】特開２００２−１１３９７５（第１〜７頁、図１〜４）
【発明の開示】
【発明が解決しようとする課題】
【０００８】
本発明の目的とするところは、綴じ具や接着剤を一切用いず、古紙としての再利用が可能であって、しかもデザインの自由度が高くて広告宣伝用の配布物として好適なカレンダーを提供することにある。
【課題を解決するための手段】
【０００９】
上記目的を達成するために、本発明の請求項１に係るカレンダーは、暦が表示され、二つ折りにしたカレンダー用紙と、表裏に連通する横長の窓を有する台紙とよりなり、前記カレンダー用紙を台紙の窓に挿通してカレンダー用紙の折目の内側部分が前記窓の下辺部上縁にて支持されるように構成したものとしてある。
【００１０】
本発明の請求項２に係るカレンダーは、前記窓の下辺部における左右のうちの少なくとも一方の端部に、下辺部よりも上方に突出する段部を設けるとともに、前記カレンダー用紙の折目における前記段部に対応する側に切欠き部を形成し、この切欠き部を前記段部に係合させてカレンダー用紙を台紙に吊り下げるように構成したものとしてある。
【００１１】
本発明の請求項３に係るカレンダーは、前記台紙の周辺部と窓との間に、前記カレンダー用紙を窓に導入するための連通部を設けた構成のものとしてある。
【００１２】
本発明の請求項４に係るカレンダーは、前記台紙に、広告表示欄を設けた構成のものとしてある。
【発明の効果】
【００１３】
本発明のカレンダーによれば、台紙の窓にカレンダー用紙を挿通して吊り下げる構成としてあるので、カレンダー用紙を綴るための綴じ具や接着剤が不要であり、しかも廃棄する際には台紙とカレンダー用紙を極めて容易に分別できるとともに、台紙は厚紙等の紙でも容易に製作できてカレンダー用紙と分別しなくてもともに古紙としての再生用に利用することができる。
【００１４】
また、台紙の窓における下辺部に段部を設けたものでは、カレンダー用紙の切欠き部が段部に係合するので、カレンダー用紙を安定よく吊り下げることができる。
【００１５】
さらに、台紙における窓の横幅寸法は吊り下げるカレンダー用紙の幅に対応するものとしなければならないが、上記窓における横幅寸法以外の他の部分の形状や寸法は自由に設定することが可能であり、デザインの自由度が高く、装飾性の高いカレンダーを提供することができる。
【００１６】
また、台紙はそのままでカレンダー用紙を逐次新しいものに取り替えていくことができるので、台紙を長期間有効に利用することができるとともに、台紙に広告部分を設けることにより、台紙の広告主はカレンダーを広告媒体として有効に利用することができるに止まらず、新たなカレンダー用紙の配布を顧客吸引力とすることができるというメリットもある。
【実施例】
【００１７】
以下、本発明に係るカレンダーの実施例を添付図面に示す具体例に基づいて詳細に説明する。
台紙１は例えばボール紙や合成樹脂製の薄板状のものとしてあって、上辺に吊下げ用の孔２ａを有する突出部２を有し、下辺寄りにこの下辺と略平行をなす横長の窓３をあけてある。
【００１８】
上記窓３は横幅の最大寸法Ｗ1がカレンダー用紙４の横幅Ｗ2以上であって、窓の下辺部における左右の端部には高さが下辺部よりも高い段部５、５を形成してあり、これら段部間の間隔Ｗ3は、カレンダー用紙の横幅Ｗ2以下としてある。
【００１９】
前記カレンダー用紙４は、二つ折りに形成されたものとしてあって、折目６の左右の端部には切欠き部７、７を設けてあり、これら切欠き部７、７間の寸法Ｗ4は前記窓の段部間の間隔Ｗ3以下としてある。
【００２０】
各カレンダー用紙４には、例えば１か月分の暦である七曜表８が印刷されていて、１枚のカレンダー用紙には前記折目６によって区分される２つの面とそれぞれの裏面の計４か月分の七曜表を表示することができる。
【００２１】
なお、図１ではカレンダー用紙４を３枚吊り下げた状態を示しており、この場合は１２か月分すなわち１年分の月めくりとなっていて、正面側に現れる面を逐次替えることによって１年間使用できる。ただし、１年分１２か月分のカレンダー用紙を同時に吊り下げておく必要は全くなく、吊り下げるカレンダー用紙は１枚であってもよいし、４枚以上のカレンダー用紙を一緒に吊り下げるようにしてもよい。
さらに、カレンダー用紙は日めくり式のものとする場合もあるし、１年分の暦を表示する場合もある。
【００２２】
そして台紙１とカレンダー用紙４の適所には、それぞれ広告表示部９、１０を設けてあり、台紙１の広告表示部９には例えばカレンダーを配布する者、例えば小売店の名前や電話番号等を表示し、カレンダー用紙４の広告表示部１０には例えば上記小売店が扱う商品の販売元や製造元の商品の広告を表示しておく。
【００２３】
上述のように台紙とカレンダー用紙にそれぞれ広告表示部９、１０を設けておけば、カレンダー用紙を逐次新しい物に交換する際に、新しいカレンダー用紙を小売店で貰うことができ、小売店は集客力の向上を期すことができるし、カレンダー用紙の広告主は常に新たな商品の宣伝をすることができ、また月によって異なる広告主の広告を掲載することもでき、カレンダー配布による広告効果が充分に得られる。
【００２４】
上述のように構成した本発明のカレンダーは、台紙１の窓３における横幅の大なる部分にカレンダー用紙４を挿入し、同カレンダー用紙４の折目６における切欠き部７、７を窓３の段部５、５に係合させる。
【００２５】
カレンダー用紙４はその切欠き部７と窓の段部５との係合によって前後方向への移動が規制され、したがってカレンダー用紙は窓の下辺上縁に安定よく吊り下げられる。
なお、カレンダー用紙４は折目６によって区画される２つの部分を必ずしも同形（同じ長さ）とはしなくてもよく、例えば台紙の裏側となる部分は長さの短いものとすることもでき、このようにしても上述した切欠き部と段部との係合によりカレンダー用紙は安定して吊り下げられる。
【００２６】
上述した実施例のものでは、台紙１にカレンダー用紙４を吊り下げる際に、カレンダー用紙を台紙の前面側あるいは裏面側から窓に通す必要があるが、図４、５に示されるように窓３と台紙の周辺部との間に連通部１１、１２を設け、この連通部にカレンダー用紙を通して窓内にカレンダー用紙をセットする構成とする場合もある。
【００２７】
すなわち、図４の実施例のものの場合は台紙１３の窓３と下辺部との間に連通部１１を形成してあって、カレンダー用紙４の折目６における左右いずれか一方の端部を連通部に通して窓の最外端まで嵌め込み、その後他方の端部を連通部に通して窓内に嵌めるように構成してある。
【００２８】
また、図５の実施例のものの場合は、台紙１４の窓３における右側の端部に、台紙の右辺部と連通する連通部１２を形成してあって、カレンダー用紙４の折目６の部分を連通部１２に通してカレンダー用紙をセットする。
【００２９】
上述した図４、図５のいずれのものの場合も、カレンダー用紙を二つ折りにした状態で台紙にセットすることができ、カレンダー用紙の吊り下げ、交換が容易であるというメリットがある。
ただし、図５の実施例の台紙の場合は、台紙の材質をある程度剛性のあるものとする必要があり、台紙を合成樹脂製のプレート状のものとするのが望ましい。
【００３０】
図６はさらに他の実施例における台紙の例を示すものであり、この実施例の台紙１５は窓１６を単に横長のスリット状のものとしてあって、段部を有しない形状に構成してある。
この実施例の台紙を使用する場合には、上述した他の実施例のもののようにカレンダー用紙の折目に切欠き部を設ける必要がなく、台紙、カレンダー用紙ともにより低コストに製作することができる。
【図面の簡単な説明】
【００３１】
【図１】本発明に係るカレンダーの実施例を示す斜視図。
【図２】台紙の正面図。
【図３】カレンダー用紙の一部を破断して示す展開図。
【図４】台紙の他の例を示す正面図。
【図５】台紙のさらに他の例を示す正面図。
【図６】台紙のさらに他の例を示す正面図。
【符号の説明】
【００３２】
１  台紙                      ２  突出部
３  窓                        ４  カレンダー用紙
５  段部                      ６  折目
７  切欠き部                  ８  七曜表
９、１０  広告表示部        １１、１２  連通部
１３、１４、１５  台紙        １６  窓
【図１】
2005305880.tif 000003
【図２】
2005305880.tif 000004
【図３】
2005305880.tif 000005
【図４】
2005305880.tif 000006
【図５】
2005305880.tif 000007
【図６】
2005305880.tif 000008